(57)【要約】【課題】製造コストを低減し、施工性に優れ、小型化に寄与する照明装置及びこれに用いられるソケットを提供する。【解決手段】略円板扁平状のフランジ３２と、フランジ３２の表面からランプの口金突起部が挿通するように形成される中央開口部３８と、この中央開口部３８の周囲に前記ランプの口金ピンが挿入するように形成される一対の挿入口３３と、フランジ３２の裏面に設けられ前記口金ピンに接続して前記ランプに電力を供給する端子部６０と、フランジ３２の裏面に前記端子部よりも高く形成されるスペーサ３６と、フランジ３２の裏面に中央開口部３８の周縁から端子部６０よりも高く形成される筒状リブ３５と、を備える。【選択図】  図４
2011070901.tif 000002
【特許請求の範囲】
【請求項１】
略円板扁平状のフランジと；
前記フランジの表面からランプの口金突起部が挿通するように形成される中央開口部と；
前記フランジの前記中央開口部の周囲に前記ランプの口金ピンが挿入するように形成される一対の挿入口と；
前記フランジの裏面に設けられ前記口金ピンに接続して前記ランプに電力を供給する端子部と；
前記フランジの裏面に前記端子部よりも高く形成されるスペーサと；
前記フランジの裏面に前記中央開口部の周縁から前記端子部よりも高く形成される筒状リブと；を備えることを特徴とするソケット。
【請求項２】
略円板扁平状のフランジと；
前記フランジの表面からランプの口金突起部が挿通するように形成される中央開口部と；
前記フランジの前記中央開口部の周囲に前記ランプの口金ピンが挿入するように形成される一対の挿入口と；
前記フランジの裏面に設けられ前記口金ピンに接続して前記ランプに電力を供給する端子部と；
前記フランジの裏面に前記端子部よりも高く形成されるスペーサと；
前記フランジの前記一対の挿入口を結ぶ直線と略直交する位置に形成される切欠部と；を備えることを特徴とするソケット。
【請求項３】
前記スペーサは、
前記フランジの表面又は裏面側から挿入される締結部材の一部を収容する空間と；
前記フランジの裏面又は表面側に向かって前記締結部材を貫通させる孔部と；を有する請求項１又は請求項２に記載のソケット。
【請求項４】
請求項１から請求項３のいずれか１項に記載のソケットが固定されている前記支持部材と；
前記ソケットに装着されている前記ランプと；を備えることを特徴とする照明装置。
【発明の詳細な説明】
【技術分野】
【０００１】
本発明は、装着されるランプに給電するソケット、及びこのソケットを備える照明装置に関する。
【背景技術】
【０００２】
近年、コンパクトかつ新しいデザインの照明装置の製造・販売を促すものとして、電源ユニット内蔵型ランプの普及が進んでいる。そして、この電源ユニット内蔵型ランプに用いることができる口金ＧＸ５３についての工業規格がＪＩＳ Ｃ７７０９に追加された。  この電源ユニット内蔵型ランプの専用ソケットは、この電源ユニットが大きく発熱することに起因して、既存の非内蔵型ランプ用ソケットと対比して、放熱のための技術上の工夫がなされている（例えば、特許文献１）。
【先行技術文献】
【特許文献】
【０００３】
【特許文献１】特開２００９−１９９８４４号公報
【発明の概要】
【発明が解決しようとする課題】
【０００４】
ところで、前記した専用ソケットの放熱性を向上させるための工夫が、照明装置における部品点数の増大（製造コストの上昇）、施工性の低下、大型化を誘引し、電源ユニット内蔵型ランプを普及させるうえでの阻害要因になっている。  
本発明はこのような事情を考慮してなされたもので、製造コストを低減し、施工性に優れ、小型化に寄与する照明装置及びこれに用いられるソケットを提供することを目的とする。
【課題を解決するための手段】
【０００５】
本発明の請求項１に係るソケットは、略円板扁平状のフランジと、前記フランジの表面からランプの口金突起部が挿通するように形成される中央開口部と、前記フランジの前記中央開口部の周囲に前記ランプの口金ピンが挿入するように形成される一対の挿入口と、前記フランジの裏面に設けられ前記口金ピンに接続して前記ランプに電力を供給する端子部と、前記フランジの裏面に前記端子部よりも高く形成されるスペーサと、前記フランジの裏面に前記中央開口部の周縁から前記端子部よりも高く形成される筒状リブと、を備えることを特徴とする。
【０００６】
このように発明が構成されることにより、ランプを支持部材に対して着脱自在に装着させ、かつこのランプに給電することが、フランジの一点部品のみで実現される。
【０００７】
本発明の請求項２に係るソケットは、略円板扁平状のフランジと、前記フランジの表面からランプの口金突起部が挿通するように形成される中央開口部と、前記フランジの前記中央開口部の周囲に前記ランプの口金ピンが挿入するように形成される一対の挿入口と、前記フランジの裏面に設けられ前記口金ピンに接続して前記ランプに電力を供給する端子部と、前記フランジの裏面に前記端子部よりも高く形成されるスペーサと、前記フランジの前記一対の挿入口を結ぶ直線と略直交する位置に形成される切欠部とを備えることを特徴とする。
【０００８】
このように発明が構成されることにより、前記支持部材の取付孔のピッチが狭い場合であっても、前記フランジが前記支持部材に固定された状態で、その表面側から留めネジを挿入して天井面や壁面に取り付けることができる。
【０００９】
請求項３に係る発明は、請求項１又は請求項２に記載のソケットにおいて、前記スペーサは、前記フランジの表面又は裏面側から挿入される締結部材の一部を収容する空間と、前記フランジの裏面又は表面側に向かって前記締結部材を貫通させる孔部と、を有する。
【００１０】
このように発明が構成されることにより、ソケットの表面側から締結部材を挿入し、このソケットを支持部材に締結させることができる。つまり、支持部材が天井面や壁面に取り付けられた状態（もしくは、天井面又は壁面が支持部材である場合も含まれる）で、ソケット単体の取り付け／取り外しが容易になる。また、支持部材を介してソケットの裏面側から締結部材を挿入し、ソケットを支持部材に締結させることができる。
【００１１】
本発明の請求項４に係る照明装置は、請求項１から請求項３のいずれか１項に記載のソケットが固定されている前記支持部材と、前記ソケットに装着されている前記ランプと、を備えることを特徴とする。
【００１２】
このように発明が構成されることにより、請求項１から請求項３のいずれか１項に記載のソケットを備える照明装置が提供される。
【発明の効果】
【００１３】
請求項１に係るソケットの発明によれば、部品数の削減及び部品の共通化によって照明装置の製造コストを低減させるソケットが提供される。  
請求項２及び請求項３に係るソケットの発明によれば、照明装置の、部品数の削減及び部品の共通化による製造コストの削減と、施工性の向上と、小型化とを実現させるソケットが提供される。  
請求項４に係る照明装置の発明によれば、請求項１から請求項３のいずれかに記載のソケットを備えているので、これらソケットの作用・効果を有する照明装置が提供される。
【図面の簡単な説明】
【００１４】
【図１】本発明に係る照明装置の実施形態を示す縦断面図。
【図２】実施形態に係る照明装置の分解断面図。
【図３】（Ａ）実施形態に係る照明装置に適用される支持部材の縦断面図、（Ｂ）その表面図。
【図４】（Ａ）本発明に係るソケットの実施形態を示す表面図、（Ｂ）その裏面図、（Ｃ）その側面図、（Ｄ）図４（Ａ）におけるＤ−Ｄ線縦断面図。
【図５】実施形態に係るソケットに適用される端子部の分解斜視図。
【図６】（Ａ）他の実施形態に係るソケットの裏面図、（Ｂ）このソケットが固定された支持部材の表面図。
【発明を実施するための形態】
【００１５】
以下、本発明の実施形態を添付図面に基づいて説明する。  
なお、図面は、照明装置１０又はソケット３０の回転対称軸をＺ軸とするＸＹＺ座標系を導入し、このＺ軸の向きを、図示略の天井面又は壁面等の取付面に直交する方向としている。そして、このＺ軸方向を向く面を裏面、その逆方向を向く面を表面と規定する。
【００１６】
図１及び図２に示されるように照明装置１０は、支持部材２０と、ソケット３０と、ランプ４０と、カバー５０とから構成されている。  
このように構成される照明装置１０は、天井面又は壁面に対して支持部材２０が留めネジ１１ａにより固定される。そして、リード線３１を介して商用電力（ＡＣ１００〜２００Ｖ、５０Ｈｚ／６０Ｈｚ）をソケット３０に給電し、このソケット３０に着脱自在に装着されるランプ４０を発光させ、カバー５０を透光して周囲を照明する。
【００１７】
ランプ４０は、図２に示されるように、その口金部分が、太径部４１ａ及び細径部４１ｂからなる一対の口金ピン４１と、側周面にキー溝４３が設けられている口金突起部４２と、から構成されている。  
このように構成されるランプ４０は、例えば、インパータ蛍光点灯方式や、ＬＥＤ（Light Emitting Diode）点灯方式が採用されている。そして、口金突起部４２の内部に配置される電源ユニット（図示略）は、口金ピン４１から入力した商用電力を、それぞれの点灯方式における定格電力に変換する。なお、この電源ユニットは点灯時に大きく発熱するのが一般的である。  
また、キー溝４３は、ソケット３０の内周面に設けられているキー３７（図５参照）に係合し、ランプ４０の挿入角の方位を規定するとともに、ソケット３０に装着されたランプ４０が抜け落ちないように支持するものである。
【００１８】
カバー５０は、接面片５１と、螺刻面５２と、側周面５３と、照光面５４とが一体に構成され、支持部材２０に支持されるとともに、ランプ４０を覆って保護するものである。またカバー５０は、照明装置１０の外観の大部分を占め、美観を向上させる装飾デザインや、照明性能を確保するための機能デザインが施されている。
【００１９】
支持部材２０は、図３（Ａ）（Ｂ）に示されるように、取付孔２４（２４ａ，２４ｂ，２４ｃ）及びリード線引出孔２５が設けられている取付板２１と、この取付板２１の表面から垂直方向に立設されるカバー固定部２２と、この取付板２１の表面に立設するソケット固定部２３とから構成されている。  
このように構成される支持部材２０は、その裏面が天井面や壁面等の取付面に接し、その表面側においてソケット３０及びカバー５０を支持するものである。  
また、カバー固定部２２の円筒形状の外周面にはカバー５０の螺刻面５２に螺合するねじ山が刻まれている。
【００２０】
なお、図示略であるが、カバー固定部２２の周囲には、Ｏリングが配置され、取付板２１の表面と設置されるカバー５０との間隙において、このＯリングを狭持して、外部から水分及びその他の異物がカバー５０の内部に浸入するのを防いでいる。  
さらに支持部材２０は、発熱したランプ４０の排熱が外部に逃げ易いように、熱伝導率の高い、例えばアルミニウムのような材質で構成されるのが望ましい。
【００２１】
天井面や壁面等の取付面には、留めネジ１１ａ（図２）に結合する雌ネジ（図示略）が所定間隔で予め施工されている。  
なお、工業規格（ＪＩＳ Ｃ８１０６「施設用蛍光灯器具」）において、照明器具取付孔の取付ピッチは、６６．７ｍｍ又は８３．５ｍｍと規定されており、支持部材２０の取付孔２４は、この規定された取付ピッチに対応するように設けられることが好ましい。
【００２２】
なお、リード線引出孔２５は、図面において支持部材２０の中心に配置されているが、これは、二次元表示上、他の部材との混同を避けるためであって、その配置位置は特に限定されない。  
また、ソケット固定部２３は、取付板２１から突起する形態を有しているが、特にこのような突起状である必要もない。  
実施形態では、ソケット３０を支持部材２０に固定するための締結部材１１ｂ（雄ネジ）が、ソケット３０の表面側から挿入される場合が示され、ソケット固定部２３には、この締結部材１１ｂの軸部分が螺入する雌ネジが形成されている。  
一方、支持部材２０にソケット３０を固定するのに、この支持部材２０の裏面側から締結部材（雄ネジ）が挿入される場合もあり、この場合、ソケット固定部２３は、この雄ネジの軸径よりも拡径された貫通孔（図示略）が設けられている必要がある。
【００２３】
ソケット３０は、図４（Ａ）〜図４（Ｄ）に示されるように、フランジ３２を貫通する挿入口３３と切欠３４とが設けられている。そして、ランプ４０（図２）が装着されるフランジ３２の表面（図４（Ａ））とは逆の裏面（図４（Ｂ））において、筒状リブ３５と、スペーサ３６と、端子部６０とが設けられている。
【００２４】
このように構成されるソケット３０は、支持部材２０（図２）の表面に対してフランジ３２が所定間隔で平行に固定され、さらにランプ４０が着脱自在に装着される。  
またソケット３０は、このような単純な構成であるために、ランプ４０の発熱により加熱された空気をこのランプ４０の近傍に滞留させることなく容易に掃気させることができる。さらに、ランプ４０の発熱は、ソケット３０を伝導しスペーサ３６を経由して支持部材２０に逃げ易くなっている。
【００２５】
フランジ３２は、略円板扁平状の中央部分に設けられる中央開口部３８に、ランプ４０の口金突起部４２（図２）を挿通させるとともに、この中央開口部３８を挟む位置に設けられる一対の挿入口３３において口金ピン４１を挿入させる。
【００２６】
挿入口３３は、図４（Ａ）に示されるようにフランジ３２の表面から臨むと、拡径円状孔とその一部から周方向に延びる溝孔とが一体化した形状をなしている。この拡径円状孔の直径は口金ピン４１（図１）の太径部４１ａの直径よりも大きく、この溝孔の幅はこの太径部４１ａの直径よりも小さく細径部４１ｂの直径よりも大きく構成されている。  
そして、ランプ４０をソケット３０に装着する際は、口金ピン４１を挿入口３３の拡径円状孔に挿入し、さらにランプ４０を中心軸（Ｚ軸）周りに角変位させる。またランプ４０をソケット３０から外すときは、その逆となる。  
これにより、口金ピン４１は、端子部６０のバネ接点６２（図５）に対し機械的・電気的に安定して接触／離脱することができる。
【００２７】
切欠３４は、支持部材２０（図３（Ｂ））に固定されたソケット３０の表面側から支持部材２０の取付孔２４（２４ａ，２４ｂ）が臨めるようフランジ３２の外縁部分の対向する位置に設けられている。  
これにより、留めネジ１１ａ（図２）を締結させる工具が、ソケット３０に干渉するのを回避でき、このソケット３０を固定した状態で支持部材２０を天井面や壁面等に取り付けることができる。
【００２８】
筒状リブ３５は、フランジ３２の中央開口部３８の周縁から裏面に対して垂直方向に設けられるとともに、図４（Ｃ）又は図４（Ｄ）に示されるように、その高さｂは、端子部６０の高さｃよりも高く構成されている。  
筒状リブ３５の高さｂは、ランプ４０（図２）の口金突起部４２の高さと同程度として口金突起部４２の側周面を広い領域で覆うことができるように設定されるのが好ましい。
【００２９】
なお、ソケット３０のそりかえり強度を確保することが可能であれば、筒状リブ３５の高さｂは、スペーサ３６の高さａよりも低くてもかまわない。  
また、ソケット３０の取り付け時に、筒状リブ３５が支持部材２０の表面と干渉することが無ければ、筒状リブ３５の高さｂは、スペーサ３６の高さａよりも高くてもかまわない。
【００３０】
このように筒状リブ３５が構成されることにより、その内周面においてランプ４０（図２）の口金突起部４２の側周面と広い領域で摺接することができる。これにより、ランプ４０の装着時にぶれることなくこの口金突起部４２及び口金ピン４１を対応する中央開口部３８及び挿入口３３に案内することができる。  
さらに、筒状リブ３５の外周面に沿ってレイアウトされるリード線３１は、高温になった口金突起部４２に直接的に接触することがないので、リード線３１の被覆の熱劣化が抑制される。
【００３１】
スペーサ３６は、図４（Ｂ）及び図４（ｃ）に示されるように、フランジ３２の裏面に対角線が中心軸（Ｚ軸）に交わるように四つ設けられている。そして、締結部材１１ｂ（図２）により支持部材２０のソケット固定部２３に締結されるとともに、このフランジ３２とこの支持部材２０との間隔を規定している。  
このスペーサ３６の高さａは、端子部６０の高さｃよりも高く構成され、支持部材２０に固定される際に、ランプ４０の口金突起部４２（図２）、筒状リブ３５及び端子部６０の全てが支持部材２０の表面に当接することがないように設定される必要がある。
【００３２】
さらにスペーサ３６は、図４（Ｄ）に示されるように、フランジ３２の表面側から挿入される締結部材１１ｂの頭部を収容する空間と、フランジ３２の裏面側に向かって締結部材１１ｂの軸部が貫通する孔部３６ａとを有する。  
このように、スペーサ３６が構成されることにより、支持部材２０（図２）が天井面又は壁面等の取付面に取り付けられている状態で、後から、ソケット３０をこの支持部材２０に固定することができる。  
なお、図示略としているが、支持部材２０の裏面側から締結部材を挿入してソケット３０を固定する場合、スペーサ３６の孔部３６ａには、この締結部材の軸部が螺入される雌ネジが設けられ、スペーサ３６の空間には締結部材の軸部が収容される。
【００３３】
端子部６０は、二つの切欠３４を結ぶ線分と略直交する方向に、対向配置されている。  そして、図５に示されるように、ホルダ６１と、バネ接点６２と、留壁６３（６３ａ，６３ｂ，６３ｃ，６３ｄ）と、から構成されている。  
このように構成される端子部６０は、外部の商用電力がリード線３１を介して入力され、接続する口金ピン４１（図２）を介してランプ４０にこの商用電力を供給するものである。
【００３４】
ホルダ６１は、リード線３１の一端が係入される係入口７１を両端に有し、側壁に設けられる突起７２（図面の死角位置にも存在している）は、留壁６３又は筒状リブ３５に設けられている係合口７３に係合する。  
このように構成されるホルダ６１は、その内部に保持されるバネ接点６２と外部から接続されるリード線３１とを保持するとともに、これらを外部に対して電気的に絶縁するものである。  
また、実施形態においてリード線３１は、二つある係入口７１のうち片側だけを利用しているが、反対側の係入口７１を用いて複数のソケット３０を電気的に並列接続することができる。
【００３５】
バネ接点６２は、板状の弾性体である導電板の両端が折り曲げられて形成された端片７４と、中央部分が湾曲して突起している当接片７５と、リード線３１の先端が挿入される係止孔７６とから構成されている。  
このように構成されるバネ接点６２は、ホルダ６１の係入口７１を介して係止孔７６にリード線３１の素線が挿入されると、端片７４の先端がこの素線の側面に弾接する。そして、このリード線３１に挿入方向とは反対方向に力が作用しても、端片７４の先端がこの素線の側面に食い込んで、このリード線３１が抜けないようになっている。
【００３６】
さらに、挿入口３３の拡径円状孔にランプ４０の口金ピン４１（図２）を挿入し、溝孔に沿って変位させると、口金ピン４１の側面が当接片７５に当接し、バネ接点６２を反発方向に弾性変形させる。  
これにより、リード線３１と口金ピン４１とは電気的に導通し、ランプ４０に商用電力が供給されることになる。
【００３７】
留壁６３（６３ａ，６３ｂ，６３ｃ，６３ｄ）は、フランジ３２と一体成形され、その裏面に立設されている。これら留壁６３は、ホルダ６１をフランジ３２の裏面に固定するとともに、バネ接点６２が可逆的に弾性変形するようにその動きを案内する。
【００３８】
また、ソケット３０は、他の実施形態として図６（Ａ）（Ｂ）に示されるように、二つの分割体３０Ａ，３０Ｂに分割して構成されてもよい。  
このように構成されるソケット３０の分割体３０Ａ，３０Ｂは、それぞれ平面視で円弧状の筒状リブ３５Ａ，３５Ｂが設けられている。その他の構成は、同じであるので同じ符号を付して、既にした説明を援用し改めて記載することを省略する。
【００３９】
このような分割体３０Ａ，３０Ｂからなるソケット３０は、切欠３４（図４）が中央開口部３８まで進展してフランジ３２が二つに分断されたことに該当する。そして、図６（Ｂ）に示されるように、表面側から支持部材２０の取付孔２４（２４ａ，２４ｂ）が、さらに良好に臨めるようになる。  
さらに、これら分割体３０Ａ，３０Ｂは、それぞれ同一物であるために、製造金型を共通化することができる。
【００４０】
本発明は前記した実施形態に限定されるものでなく、共通する技術思想の範囲内において、適宜変形して実施することができる。  
例えば、実施形態においてソケット３０は、支持部材２０を介して天井面や壁面等の取付面に固定されているが、これら取付面に直接取り付けられる場合もある。  
また、実施形態における端子部６０の内部構成は例示であって、このような構成に限定されるものではない。
【符号の説明】
【００４１】
１０…照明装置、１１ａ…留めネジ、１１ｂ…締結部材、２０…支持部材、２１…取付板、２２…カバー固定部、２３…ソケット固定部、２４（２４ａ，２４ｂ，２４ｃ）…取付孔、２５…リード線引出孔、３０…ソケット、３０Ａ，３０Ｂ…分割体、３１…リード線、３２…フランジ、３３…挿入口、３４…切欠、３５（３５Ａ，３５Ｂ）…筒状リブ、３６…スペーサ、３６ａ…孔部、３７…キー、３８…中央開口部、４０…ランプ、４１…口金ピン、４１ａ…太径部、４１ｂ…細径部、４２…口金突起部、４３…キー溝、５０…カバー、５１…接面片、５２…螺刻面、５３…側周面、５４…照光面、６０…端子部、６１…ホルダ、６２…バネ接点、６３…留壁、７１…係入口、７２…突起、７３…係合口、７４…端片、７５…当接片、７６…係止孔。
【図１】
2011070901.tif 000003
【図２】
2011070901.tif 000004
【図３】
2011070901.tif 000005
【図４】
2011070901.tif 000006
【図５】
2011070901.tif 000007
【図６】
2011070901.tif 000008